(57)【特許請求の範囲】
【請求項１】
複数の通信セルを含む通信ネットワークと、前記通信セルの少なくとも一つを介して前記通信ネットワークに接続するように、それぞれ動作する複数の移動通信装置と、前記通信セルの少なくとも一つを提供する通信装置と、を有する通信システムであって、前記通信装置は、
移動通信装置が通信ネットワークに接続可能な第一通信セルを提供する手段と、
移動通信装置が、前記第一通信セルを介して前記通信ネットワークに接続されているかどうかを判定する手段と、
前記判定手段による判定結果に応じて、さらに通信セルをモニタする手段と、を含み
前記モニタ手段は、
前記第一通信セルを介して接続されている移動通信装置が存在しないと判定されたとき、無線アクセス技術／周波数帯域の組み合わせの第一セットの任意のものを使用して、さらに通信セルの動作をモニタし、
少なくとも一つの移動通信装置が前記第一通信セルを介して接続されていると判定されたとき、無線アクセス技術／周波数帯域の組み合わせの第二セットの任意のものを使用して、さらに通信セルの動作をモニタするように動作可能であり、
前記第一および第二セットの少なくとも一方は、前記第一および第二セットの他方に存在していない、少なくとも一つの無線アクセス技術／周波数帯域の組み合わせを含むことを特徴とする、通信システム。
【請求項２】
少なくとも一つの通信セルを提供し、他の通信セルをモニタする通信装置であって、前記通信装置は、
移動通信装置が通信ネットワークに接続可能な第一通信セルを提供する手段と、
移動通信装置が、前記第一通信セルを介して前記通信ネットワークに接続されているかどうかを判定する手段と、
前記判定手段の判定結果に応じて、さらに通信セルをモニタする手段と、を含み、
前記モニタ手段は、
前記第一通信セルを介して接続されている移動通信装置が存在しないと判定されるとき、無線アクセス技術／周波数帯域の組み合わせの第一セットの任意のものを使用して、さらに通信セルの動作をモニタし、
少なくとも一つの移動通信装置が、前記第一通信セルを介して接続されていると判定されるとき、無線アクセス技術／周波数帯域の組み合わせの第二セットの任意のものを使用して、さらに通信セルの動作をモニタするように動作可能であり、
前記第一および第二セットの少なくとも一方が、前記第一および第二セットの他方に存在しない、少なくとも一つの無線アクセス技術／周波数帯域の組み合わせを含むことを特徴とする、通信装置。
【請求項３】
前記通信装置は、
移動通信装置が通信ネットワークに接続可能な第二通信セルを提供する手段をさらに含み、
前記判定手段は、前記第一通信セルを介して少なくとも一つの移動通信装置が前記通信ネットワークに接続されているかどうかを判定すると共に、前記第二通信セルを介して少なくとも一つの移動通信装置が前記通信ネットワークに接続されているかどうかを判定するように動作可能であり、
前記モニタ手段は、
前記第一通信セルを介して接続されている移動通信装置が存在しないと判定されると共に、前記第二通信セルを介して接続されている移動通信装置が存在しないと判定されるとき、無線アクセス技術／周波数帯域の組み合わせの前記第一セットの任意のものを使用して、さらに通信セルの動作をモニタし、
少なくとも一つの移動通信装置が、前記第一通信セルを介して接続されていると判定されると共に、前記第二通信セルを介して接続されている移動通信装置が存在しないと判定されるとき、無線アクセス技術／周波数帯域の組み合わせの前記第二セットの任意のものを使用して、さらに通信セルの動作をモニタするように動作可能である、請求項２に記載の通信装置。
【請求項４】
第一通信セルを提供する前記手段は、第一無線アクセス技術／周波数帯域の組み合わせを用いて動作する第一通信セルを提供するように動作可能であり、
第二通信セルを提供する前記手段は、第二無線アクセス技術／周波数帯域の組み合わせを用いて動作する第二通信セルを提供するように動作可能である、請求項３に記載の通信装置。
【請求項５】
前記第一セットは、前記第二セットに存在しない、少なくとも一つの無線アクセス技術／周波数帯域の組み合わせを含む、請求項４に記載の通信装置。
【請求項６】
無線アクセス技術／周波数帯域の組み合わせの前記第一セットは、前記第一無線アクセス技術／周波数帯域の組み合わせおよび前記第二無線アクセス技術／周波数帯域の組み合わせを含み、
無線アクセス技術／周波数帯域の組み合わせの前記第二セットは、前記第二無線アクセス技術／周波数帯域の組み合わせを含むが、前記第一無線アクセス技術／周波数帯域の組み合わせを含まない、請求項５に記載の通信装置。
【請求項７】
前記判定結果に応じて、さらに通信セルをモニタする前記手段は、少なくとも一つの移動通信装置が前記第一通信セルを介して接続されていると判定されると共に、少なくとも一つの移動通信装置が前記第二通信セルを介して接続されていると判定されるとき、さらに通信セルをモニタしないように動作可能である、請求項４または５に記載の通信装置。
【請求項８】
前記モニタ手段は、
少なくとも一つの移動通信装置が前記第二通信セルを介して接続されていると判定されると共に、前記第一通信セルを介して接続されている移動通信装置が存在しないと判定されるとき、無線アクセス技術／周波数帯域の組み合わせの第三セットの任意のものを用いてさらなる通信セルの動作をモニタするように動作可能であり、
前記第二および第三セットの少なくとも一方は、前記第二および第三セットの他方に存在しない少なくとも一つの無線アクセス技術／周波数帯域の組み合わせを含む、請求項４から７のいずれか一項に記載の通信装置。
【請求項９】
前記第一セットは、前記第三セットに存在しない、少なくとも一つの無線アクセス技術／周波数帯域の組み合わせを含む、請求項８に記載の通信装置。
【請求項１０】
前記第二および第三セットのそれぞれは、前記第二および第三セットの他方に存在しない少なくとも一つの無線アクセス技術／周波数帯域の組み合わせを含む、請求項８または９に記載の通信装置。
【請求項１１】
無線アクセス技術／周波数帯域の組み合わせの前記第三セットは、前記第一無線アクセス技術／周波数帯域の組み合わせを含むが、前記第二無線アクセス技術／周波数帯域の組み合わせを含まない、請求項９または１０に記載の通信装置。
【請求項１２】
前記モニタ手段は、前記判定手段が、前記通信セルの少なくとも一つを介して接続されている移動通信装置が存在しないと判定するとき、前記判定手段が、通信セルを介して接続されている移動通信装置が存在しないと判定した各通信セルにおいて、さらに通信セルをモニタする前に、ダウンリンク通信を停止するように動作可能である、請求項４から１１のいずれか一項に記載の通信装置。
【請求項１３】
前記モニタ手段は、第一通信セルを提供する前記手段を用いて、無線アクセス技術／周波数帯域の組み合わせの前記第一セットの第一サブセットをモニタし、第二通信セルを提供する前記手段を用いて、無線アクセス技術／周波数帯域の組み合わせの前記第一セットの第二サブセットをモニタするように動作可能である、請求項４から１２のいずれか一項に記載の通信装置。
【請求項１４】
無線アクセス技術／周波数帯域の組み合わせの前記第一セットの前記第一および第二サブセットの少なくとも一方は、無線アクセス技術／周波数帯域の組み合わせの前記第一セットの前記第一および第二サブセットの他方に存在しない、少なくとも一つの無線アクセス技術／周波数帯域の組み合わせを含む、請求項１３に記載の通信装置。
【請求項１５】
無線アクセス技術／周波数帯域の組み合わせの前記第一セットの前記第一および第二サブセットは、無線アクセス技術／周波数帯域の組み合わせの前記第一セットの前記第一および第二サブセットの他方に存在しない、少なくとも一つの無線アクセス技術／周波数帯域の組み合わせを含む、請求項１４に記載の通信装置。
【請求項１６】
無線アクセス技術／周波数帯域の組み合わせの前記第一セットの前記第一および第二サブセットは、無線アクセス技術／周波数帯域の組み合わせの前記第一セットの前記第一および第二サブセットの他方に存在する無線アクセス技術／周波数帯域の組み合わせを含まない、請求項１５に記載の通信装置。
【請求項１７】
第一通信セルを提供する前記手段は、ユニバーサル移動体通信システム（ＵＭＴＳ）を基礎とするホーム基地局（ＨＮＢ）およびロング・ターム・エボリューション（ＬＴＥ）を基礎とするホーム基地局（ＨｅＮＢ）の一方を含む、請求項４から１６のいずれか一項に記載の通信装置。
【請求項１８】
第二通信セルを提供する前記手段は、ユニバーサル移動体通信システム（ＵＭＴＳ）を基礎とするホーム基地局（ＨＮＢ）およびロング・ターム・エボリューション（ＬＴＥ）を基礎とするホーム基地局（ＨｅＮＢ）の一方を含む、請求項４から１７のいずれか一項に記載の通信装置。
【請求項１９】
前記第一通信セルは、ロング・ターム・エボリューション（ＬＴＥ）を基礎とする無線アクセス技術およびユニバーサル移動体通信システム（ＵＭＴＳ）を基礎とする無線アクセス技術の少なくとも一方を用いて動作する、請求項４から１８のいずれか一項に記載の通信装置。
【請求項２０】
前記第二通信セルは、ロング・ターム・エボリューション（ＬＴＥ）を基礎とする無線アクセス技術およびユニバーサル移動体通信システム（ＵＭＴＳ）を基礎とする無線アクセス技術の少なくとも一方を用いて動作する、請求項４から１９のいずれか一項に記載の通信装置。
【請求項２１】
前記第一通信セルが使用して動作する前記無線アクセス技術は、前記第二通信セルが使用して動作する前記無線アクセス技術とは異なる、請求項４から２０のいずれか一項に記載の通信装置。
【請求項２２】
前記第一通信セルが使用して動作する周波数帯域は、前記第二通信セルが使用して動作する周波数帯域とは異なる、請求項４から２１のいずれか一項に記載の通信装置。
【請求項２３】
前記第一通信セルが使用して動作する前記無線アクセス技術は、前記第二通信セルが使用して動作する前記無線アクセス技術と同じであり、前記第一通信セルが使用して動作する前記周波数帯域は、前記第二通信セルが使用して動作する前記周波数帯域とは異なることを特徴とする、請求項４から２０のいずれか一項に記載の通信装置。
【請求項２４】
通信装置により実行される通信セルのモニタ方法であって、
移動通信装置が通信ネットワークに接続可能となる第一通信セルを提供し、
前記第一通信セルを介して移動通信装置が前記通信ネットワークに接続されているかどうかを判定し、
その判定結果に応じて、さらに通信セルをモニタし、
前記第一通信セルを介して接続されている移動通信装置が存在しないと判定されるとき、前記方法は、無線アクセス技術／周波数帯域の組み合わせの第一セットの任意のものを用いてさらに通信セルの動作をモニタし、
前記第一通信セルを介して少なくとも一つの移動通信装置が接続されていると判定されるとき、前記方法は、無線アクセス技術／周波数帯域の組み合わせの第二セットの任意のものを用いて、さらに通信セルの動作をモニタし、
前記第一および第二セットの少なくとも一方が、前記第一および第二セットの他方に存在しない、少なくとも一つの無線アクセス技術／周波数帯域の組み合わせを含む、方法。
【請求項２５】
少なくとも一つの通信セルを提供し、他の通信セルをモニタする通信装置であって、
移動通信装置が通信ネットワークに接続可能な第一通信セルを提供する手段と、
移動通信装置が通信ネットワークに接続可能な第二通信セルを提供する手段と、
少なくとも一つの移動通信装置が、前記第一通信セルを介して前記通信ネットワークに接続されているかどうか、かつ少なくとも一つの移動通信装置が、前記第二通信セルを介して前記通信ネットワークに接続されているかどうかを判定する手段と、
前記判定手段の判定結果に応じて、さらに通信セルをモニタする手段と、を含み、
前記モニタ手段は、
前記第一通信セルを介して接続されている移動通信装置が存在しないと判定されると共に、前記第二通信セルを介して接続されている移動通信装置が存在しないと判定されるとき、さらに通信セルをモニタする前に、前記第一および第二通信セル内のダウンリンク伝送を停止させ、
少なくとも一つの移動通信装置が前記第一通信セルを介して接続されていると判定されると共に、前記第二通信セルを介して接続されている移動通信装置が存在しないと判定されるとき、さらに通信セルをモニタする前に、前記第一通信セルではなく、その第二通信セル内のダウンリンク伝送を停止させるように動作可能である、通信装置。
【請求項２６】
第一通信セルを提供する前記手段は、第一無線アクセス技術／周波数帯域の組み合わせを用いて動作する、第一通信セルを提供するように動作可能であり、
第二通信セルを提供する前記手段は、第二無線アクセス技術／周波数帯域の組み合わせを用いて動作する、第二通信セルを提供するように動作可能である、請求項２５に記載の通信装置。
【請求項２７】
前記モニタ手段は、
前記第一通信セルを介して接続されている移動通信装置が存在しないと判定されると共に、前記第二通信セルを介して接続されている移動通信装置が存在しないと判定されるとき、無線アクセス技術／周波数帯域の組み合わせの第一セットの任意のものを用いてさらに通信セルの動作をモニタし、
少なくとも一つの移動通信装置が、前記第一通信セルを介して接続されていると判定され、前記第二通信セルを介して接続されている移動通信装置が存在しないと判定されるとき、無線アクセス技術／周波数帯域の組み合わせの第二セットの任意のものを用いて、さらに通信セルの動作をモニタするように動作可能である、請求項２６に記載の通信装置。
【請求項２８】
無線アクセス技術／周波数帯域の組み合わせの前記第一セットは、前記第一無線アクセス技術／周波数帯域の組み合わせおよび前記第二無線アクセス技術／周波数帯域の組み合わせを含み、
無線アクセス技術／周波数帯域の組み合わせの前記第二セットは、前記第二無線アクセス技術／周波数帯域の組み合わせを含むが、前記第一無線アクセス技術／周波数帯域の組み合わせを含まない、請求項２７に記載の通信装置。
【請求項２９】
通信装置により実行される通信セルのモニタ方法であって、
移動通信装置が通信ネットワークに接続可能な第一通信セルを提供し、
移動通信装置が通信ネットワークに接続可能な第二通信セルを提供し、
少なくとも一つの移動通信装置が、前記第一通信セルを介して前記通信ネットワークに接続されているかどうかを判定すると共に、少なくとも一つの移動通信装置が、前記第二通信セルを介して前記通信ネットワークに接続されているかどうかを判定し、
前記判定の結果に応じて、さらに通信セルをモニタし、
前記第一通信セルを介して接続されている移動通信装置が存在しないと判定されると共に、前記第二通信セルを介して接続されている移動通信装置が存在しないと判定されるとき、通信セルをさらにモニタする前に、前記第一および第二通信セル内のダウンリンク伝送を停止し、
少なくとも一つの移動通信装置が前記第一通信セルを介して接続されていると判定されると共に、前記第二通信セルを介して接続されている移動通信装置が存在しないと判定されるとき、前記方法は、さらに通信セルをモニタする前に、前記第一通信セルを停止させることなく、前記第二通信セル内のダウンリンク伝送を停止させる、方法。
【請求項３０】
少なくとも一つの通信セルを提供し、他の通信セルをモニタする通信装置であって、前記通信装置は、
移動通信装置が通信ネットワークに接続可能な第一通信セルを提供し、
移動通信装置が、前記第一通信セルを介して前記通信ネットワークに接続されているかどうかを判定し、
その判定結果に応じて、さらに通信セルをモニタする、ように動作可能であり、
前記第一通信セルを介して接続されている移動通信装置が存在しないと判定されるとき、前記モニタは、無線アクセス技術／周波数帯域の組み合わせの第一セットの任意のものを用いて、さらに通信セルの動作をモニタし、
少なくとも一つの移動通信装置が前記第一通信セルを介して接続されていると判定されるとき、前記モニタは、無線アクセス技術／周波数帯域の組み合わせの第二セットの任意のものを用いて、さらに通信セルの動作をモニタし、
前記第一および第二セットの少なくとも一方が、前記第一および第二セットの他方に存在しない少なくとも一つの無線アクセス技術／周波数帯域の組み合わせを含む、通信装置。
【請求項３１】
少なくとも一つの通信セルを提供し、他の通信セルをモニタする通信装置であって、前記通信装置は、
移動通信装置が通信ネットワークに接続可能な第一通信セルを提供し、
移動通信装置が通信ネットワークに接続可能な第二通信セルを提供し、
少なくとも一つの移動通信装置が前記第一通信セルを介して前記通信ネットワークに接続されているかどうかを判定すると共に、少なくとも一つの移動通信装置が前記第二通信セルを介して前記通信ネットワークに接続されているかどうかを判定し、
その判定結果に応じて、さらに通信セルをモニタする、ように動作可能であり、
前記第一通信セルを介して接続されている移動通信装置が存在しないと判定されると共に、前記第二通信セルを介して接続されている移動通信装置が存在しないと判定されるとき、前記モニタは、さらに通信セルをモニタする前に、前記第一および第二通信セル内のダウンリンク伝送を停止させ、
少なくとも一つの移動通信装置が前記第一通信セルを介して接続されていると判定されると共に、前記第二通信セルを介して接続されている移動通信装置が存在しないと判定されるとき、前記モニタは、さらに通信セルをモニタする前に、前記第一通信セルを停止させることなく、その第二通信セル内のダウンリンク伝送を停止する、通信装置。
【請求項３２】
複数の通信セルを含む通信ネットワークと、
それぞれ前記通信セルの少なくとも一つを介して前記通信ネットワークに接続するように動作可能な複数の移動通信装置と、
請求項２から２３、２５から２８、３０または３１のいずれかに記載の通信装置と、を含む、通信システム。
【請求項３３】
前記セルの少なくとも一つを介して前記通信システムの前記通信ネットワークを接続する手段を含む、請求項１または３２に記載の前記通信システムの一部を構成する、移動通信装置。
【請求項３４】
移動通信装置であって、通信装置により提供され、前記移動通信装置が通信ネットワークに接続可能な、第一通信セルに接続するよう動作可能な移動通信装置において、
移動通信装置が前記第一通信セルを介して前記通信ネットワークに接続されているかどうかを判定する手段と、
前記判定手段による判定結果に応じて、さらに通信セルをモニタする手段と、を含み、
前記モニタ手段は、
前記第一通信セルを介して接続されている移動通信装置が存在しないと判定されるとき、無線アクセス技術／周波数帯域の組み合わせの第一セットの任意のものを用いて、さらに通信セルの動作をモニタし、
少なくとも一つの移動通信装置が前記第一通信セルを介して接続されていると判定されるとき、無線アクセス技術／周波数帯域の組み合わせの第二セットの任意のものを用いて、さらに通信セルの動作をモニタするように動作可能であり、
前記第一および第二セットの少なくとも一方が、前記第一および第二セットの他方に存在しない、少なくとも一つの無線アクセス技術／周波数帯域の組み合わせを含む、移動通信装置。
【請求項３５】
移動通信装置であって、通信装置により提供され、前記移動通信装置が通信ネットワークに接続可能な、第一通信セルに接続するように動作可能な移動通信装置において、
移動通信装置が通信ネットワークに接続可能な第二通信セルを提供する手段と、
少なくとも一つの移動通信装置が前記第一通信セルを介して前記通信ネットワークに接続されているかどうかを判定すると共に、少なくとも一つの移動通信装置が前記第二通信セルを介して前記通信ネットワークに接続されているかどうかを判定する手段と、
前記判定手段による判定結果に応じて、さらに通信セルをモニタする手段と、を含み
前記モニタ手段は、
前記第一通信セルを介して接続されている移動通信装置が存在しないと判定されると共に、前記第二通信セルを介して接続されている移動通信装置が存在しないと判定されるとき、さらに通信セルをモニタする前に、前記第一および第二通信セル内のダウンリンク伝送を停止し、
少なくとも一つの移動通信装置が前記第一通信セルを介して接続されていると判定されると共に、前記第二通信セルを介して接続されている移動通信装置が存在しないと判定されるとき、さらに通信セルをモニタする前に、前記第一通信セルを停止させることなく、その第二通信セル内のダウンリンク伝送を停止するように動作可能である、移動通信装置。
【請求項３６】
請求項２４または２９に記載された方法の実行命令を含むことを特徴とするコンピュータプログラム。
【発明の詳細な説明】
【技術分野】
【０００１】
本発明は、移動通信ネットワークおよびそのパーツに関し、より詳細には、排他的ではないが、第三世代パートナーシッププロジェクト（３ＧＰＰ）規格、その等価物、またはその派生物に従って動作するネットワークに関する。本発明は、排他的ではないが、特にフェムトアクセスポイント（ＦＡＰ）によるネットワークモニタモード（ＮＭＭ）の適用に関連している。
【背景技術】
【０００２】
３ＧＰＰ規格では、ノードＢ（ＬＴＥ方式のｅＮＢ）は基地局であり、これを介して移動機器とコアネットワークが接続される。３ＧＰＰ標準化機関は公式アーキテクチャを採用し、ショートレンジ３Ｇ無線周波数（ＲＦ）の受信可能範囲を提供するため、ホーム基地局の新規格について研究を開始した。このようなホーム基地局の稼働により、ＵＭＴＳ（ユニバーサル移動体通信システム）地上無線アクセスネットワーク（ＵＴＲＡＮ）方式セルが提供される場合、ホーム基地局は、ＨＮＢと称されることがある。このようなホーム基地局が（ロング・ターム・エボリューション）ＬＴＥ規格により動作し、ＬＴＥまたは次世代ＵＴＲＡＮ（Ｅ−ＵＴＲＡＮ）セルが提供される場合、ホーム基地局はＨｅＮＢと称されることがある。このようなホーム基地局の動作により、ＵＭＴＳ（ユニバーサル移動通信システム）地上無線アクセスネットワーク（ＵＴＲＡＮ）方式セルが提供される場合、ホーム基地局は、単にＨＮＢと称される。同様のアーキテクチャもＷｉＭＡＸネットワークに適用される。この場合、ホーム基地局は、通常フェムトセルと称される。説明を簡単にするため、本出願では、任意のＬＴＥホーム基地局を示す場合、ＨｅＮＢを用い、ＵＭＴＳ／ＵＴＲＡＮホーム基地局を示す場合、ＨＮＢを用い、またＨＮＢ、ＨｅＮＢまたは他の基地局を示す場合、ホーム基地局を総称として用いる。各ホーム基地局は、家庭、中小企業、ショッピングモールなどに無線受信地域（例えば３Ｇ／４Ｇ／ＷｉＭＡＸ）を割り当て、適切なレジデンシャルゲートウェイおよび公共または企業のブロードバンドアクセスネットワーク（例えばＡＤＳＬリンクを介したインターネット）を介してコアネットワークへの接続が実行される場合もある。
【０００３】
ホーム基地局の機能性は、いわゆる「フェムトアクセスポイント（ＦＡＰ）」によって提供される場合が多く、しばしば「ホーム基地局」および「フェムトアクセスポイント」が互換的に用いられる。ＦＡＰは、特定の無線アクセス技術（例：ＵＴＲＡＮまたはＥ−ＵＴＲＡＮ）のセルを動作させる単一のホーム基地局の機能性を提供するシングルモードのＦＡＰとして構成することができる。ＦＡＰは、それぞれが異なる無線アクセス技術のセル（例：ＵＴＲＡＮセルおよびＥ−ＵＴＲＡＮセル）を有効に動作させる二つ（またはそれ以上）のホーム基地局の機能性を提供するデュアルモード（または多重モード）のＦＡＰとして構成することもできる。
【０００４】
通信ネットワークの１つのセルから他のセルへの移動性を得るため、各ＦＡＰは、隣接セルのスキャンが可能で、スキャン中に検出された隣接セルに関するセルＩＤなどの情報を、隣接表またはＦＡＰのデータベースへ割り当てることが可能な、ネットワークモニターモード（ＮＭＭ）の機能を有する。ＮＭＭを開始し、隣接セルのスキャンを始めるため、ＦＡＰは、動作させるセルのダウンリンク通信を最初に停止しなければならない。しかしながら、ＦＡＰを介して接続された任意の使用可能な移動電話がある場合、ＦＡＰは、使用可能な移動電話の通信を中断することなく、ダウンリンク伝送を終了させることはできない。従って、ＦＡＰは、ＮＭＭの開始前に、使用可能な移動電話がつながらなくなり、想定される望ましくない遅延が発生するまで、待機しなければならない。
【０００５】
シングルモードのＦＡＰより使用可能な移動電話に対応し易くなる、デュアルモード（または多重モード）ＦＡＰの場合、遅延が発生しやすくなる。さらに、デュアルモード（または多重モード）ＦＡＰにより対応される使用可能な移動電話の数は、ＮＭＭの開始の際、シングルモードＦＡＰよりも多くなる。これは、ＮＭＭスキャン工程の無効化につながる可能性がある。さらに、デュアル（または多重モード）ＦＡＰの複数のホーム基地局の構成要素によるスキャンは、相対的に高いエネルギー消費につながる。これは、各ホーム基地局の構成要素を経由したスキャンによってエネルギーが消費され、シングルモードＦＡＰを経由したスキャンと比較して、このような度重なるエネルギー消費が高くなる可能性があるためである。
【０００６】
従って、上記一つ以上の問題が解決されるか、または少なくとも改善されるような通信システムが求められている。
【発明の概要】
【課題を解決するための手段】
【０００７】
本発明の一態様に係る通信システムは、複数の通信セルを含む通信ネットワークと、前記通信セルの少なくとも一つを介して通信ネットワークに接続するように、それぞれ動作する複数の移動通信装置と、前記通信セルの少なくとも一つを提供する通信装置と、を有する通信システムであって、前記通信装置は、移動通信装置が通信ネットワークに接続可能な第一通信セルを提供する手段と、移動通信装置が、前記第一通信セルを介して前記通信ネットワークに接続されているかどうかを判定する手段と、前記判定手段による判定結果に応じて、さらに通信セルをモニタする手段と、を含み、前記モニタ手段は、前記第一通信セルを介して接続されている移動通信装置が存在しないと判定されたとき、無線アクセス技術／周波数帯域の組み合わせの第一セットの任意のものを使用して、さらに通信セルの動作をモニタし、少なくとも一つの移動通信装置が前記第一通信セルを介して接続されていると判定されたとき、無線アクセス技術／周波数帯域の組み合わせの第二セットの任意のものを使用して、さらに通信セルの動作をモニタするように動作可能であり、前記第一および第二セットの少なくとも一方は、前記第一および第二セットの他方に存在していない、少なくとも一つの無線アクセス技術／周波数帯域の組み合わせを含む。
【０００８】
本発明の一態様に係る通信装置は、少なくとも一つの通信セルを提供し、他の通信セルをモニタする通信装置であって、移動通信装置が通信ネットワークに接続可能な第一通信セルを提供する手段と、移動通信装置が、前記第一通信セルを介して前記通信ネットワークに接続されているかどうかを判定する手段と、前記判定手段の判定結果に応じて、さらに通信セルをモニタする手段と、を含み、前記モニタ手段は、前記第一通信セルを介して接続されている移動通信装置が存在しないと判定されるとき、無線アクセス技術／周波数帯域の組み合わせの第一セットの任意のものを使用して、さらに通信セルの動作をモニタし、少なくとも一つの移動通信装置が、前記第一通信セルを介して接続されていると判定されるとき、無線アクセス技術／周波数帯域の組み合わせの第二セットの任意のものを使用して、さらに通信セルの動作をモニタするように動作可能であり、前記第一および第二セットの少なくとも一方が、前記第一および第二セットの他方に存在しない、少なくとも一つの無線アクセス技術／周波数帯域の組み合わせを含む。
【０００９】
前記通信装置は、移動通信装置が通信ネットワークに接続可能な第二通信セルを提供する手段をさらに含んでよく、前記判定手段は、前記第一通信セルを介して少なくとも一つの移動通信装置が前記通信ネットワークに接続されているかどうかを判定すると共に、前記第二通信セルを介して少なくとも一つの移動通信装置が前記通信ネットワークに接続されているかどうか判定するように動作可能であってよく、前記モニタ手段は、前記第一通信セルを介して接続されている移動通信装置が存在しないと判定されると共に、前記第二通信セルを介して接続されている移動通信装置が存在しないと判定されるとき、無線アクセス技術／周波数帯域の組み合わせの前記第一セットの任意のものを使用して、さらに通信セルの動作をモニタし、少なくとも一つの移動通信装置が、前記第一通信セルを介して接続されていると判定されると共に、前記第二通信セルを介して接続されている移動通信装置が存在しないと判定されるとき、無線アクセス技術／周波数帯域の組み合わせの前記第二セットの任意のものを使用して、さらに通信セルの動作をモニタするように動作可能であってよい。
【００１０】
第一通信セルを提供する前記手段は、第一無線アクセス技術／周波数帯域の組み合わせを用いて動作する第一通信セルを提供するように動作可能であってよい。第二通信セルを提供する前記手段は、第二無線アクセス技術／周波数帯域の組み合わせを用いて動作する第二通信セルを提供するように動作可能であってよい。
【００１１】
前記第一セットは、前記第二セットに存在しない、少なくとも一つの無線アクセス技術／周波数帯域の組み合わせを含んでよい。
【００１２】
無線アクセス技術／周波数帯域の組み合わせの前記第一セットは、前記第一無線アクセス技術／周波数帯域の組み合わせおよび前記第二無線アクセス技術／周波数帯域の組み合わせを含んでよい。無線アクセス技術／周波数帯域の組み合わせの前記第二セットは、前記第二無線アクセス技術／周波数帯域の組み合わせを含んでよいが、前記第一無線アクセス技術／周波数帯域の組み合わせは含まない。
【００１３】
前記判定結果に応じて、さらに通信セルをモニタする前記手段は、少なくとも一つの移動通信装置が前記第一通信セルを介して接続されていると判定されると共に、少なくとも一つの移動通信装置が前記第二通信セルを介して接続されていると判定されるとき、さらに通信セルをモニタしないように動作可能であってよい。
【００１４】
前記モニタ手段は、少なくとも一つの移動通信装置が前記第二通信セルを介して接続されていると判定されると共に、前記第一通信セルを介して接続されている移動通信装置が存在しないと判定されるとき、無線アクセス技術／周波数帯域の組み合わせの第三セットの任意のものを用いてさらなる通信セルの動作をモニタするように動作可能であってよく、前記第二および第三セットの少なくとも一方は、前記第二および第三セットの他方に存在しない少なくとも一つの無線アクセス技術／周波数帯域の組み合わせを含んでよい。
【００１５】
前記第一セットは、前記第三セットに存在しない、少なくとも一つの無線アクセス技術／周波数帯域の組み合わせを含んでよい。前記第二および第三セットのそれぞれは、前記第二および第三セットの他方に存在しない少なくとも一つの無線アクセス技術／周波数帯域の組み合わせを含んでよい。無線アクセス技術／周波数帯域の組み合わせの前記第三セットは、前記第一無線アクセス技術／周波数帯域の組み合わせを含んでよいが、前記第二無線アクセス技術／周波数帯域の組み合わせを含まない。
【００１６】
前記モニタ手段は、前記判定手段が、前記通信セルの少なくとも一つを介して接続されている移動通信装置が存在しないと判定するとき、前記判定手段が、通信セルを介して接続されている移動通信装置が存在しないと判定した各通信セルにおいて、さらに通信セルをモニタする前に、ダウンリンク通信を停止するように動作可能であってよい。
【００１７】
前記モニタ手段は、第一通信セルを提供する前記手段を用いて、無線アクセス技術／周波数帯域の組み合わせの前記第一セットの第一サブセットをモニタし、第二通信セルを提供する前記手段を用いて、無線アクセス技術／周波数帯域の組み合わせの前記第一セットの第二サブセットをモニタするように動作可能であってよい。
【００１８】
無線アクセス技術／周波数帯域の組み合わせの前記第一セットの前記第一および第二サブセットの少なくとも一方は、無線アクセス技術／周波数帯域の組み合わせの前記第一セットの前記第一および第二サブセットの他方に存在しない、少なくとも一つの無線アクセス技術／周波数帯域の組み合わせを含んでよい。
【００１９】
無線アクセス技術／周波数帯域の組み合わせの前記第一セットの前記第一および第二サブセットは、無線アクセス技術／周波数帯域の組み合わせの前記第一セットの前記第一および第二サブセットの他方に存在しない、少なくとも一つの無線アクセス技術／周波数帯域の組み合わせを含んでよい。無線アクセス技術／周波数帯域の組み合わせの前記第一セットの前記第一および第二サブセットは、無線アクセス技術／周波数帯域の組み合わせの前記第一セットの前記第一および第二サブセットの他方に存在する無線アクセス技術／周波数帯域の組み合わせは含まれなくてよい。
【００２０】
第一通信セルを提供する前記手段は、ユニバーサル移動体通信システム（ＵＭＴＳ）を基礎とするホーム基地局（ＨＮＢ）およびロング・ターム・エボリューション（ＬＴＥ）を基礎とするホーム基地局（ＨｅＮＢ）の一方を含んでよい。第二通信セルを提供する前記手段は、ユニバーサル移動体通信システム（ＵＭＴＳ）を基礎とするホーム基地局（ＨＮＢ）およびロング・ターム・エボリューション（ＬＴＥ）を基礎とするホーム基地局（ＨｅＮＢ）の一方を含んでよい。
【００２１】
前記第一通信セルは、ロング・ターム・エボリューション（ＬＴＥ）を基礎とする無線アクセス技術およびユニバーサル移動体通信システム（ＵＭＴＳ）を基礎とする無線アクセス技術の少なくとも一方を用いて動作してよい。前記第二通信セルは、ロング・ターム・エボリューション（ＬＴＥ）を基礎とする無線アクセス技術およびユニバーサル移動体通信システム（ＵＭＴＳ）を基礎とする無線アクセス技術の少なくとも一方を用いて動作してよい。
【００２２】
前記第一通信セルが使用して動作する前記無線アクセス技術は、前記第二通信セルが使用して動作する前記無線アクセス技術とは異なってよい。前記第一通信セルが使用して動作する周波数帯域は、前記第二通信セルが使用して動作する周波数帯域とは異なってよい。
【００２３】
前記第一通信セルが使用して動作する前記無線アクセス技術は、前記第二通信セルが使用して動作する前記無線アクセス技術と同じであってよく、前記第一通信セルが使用して動作する前記周波数帯域は、前記第二通信セルが使用して動作する前記周波数帯域とは異なってよい。
【００２４】
本発明の一態様に係る方法は、通信装置により実行される通信セルのモニタ方法であって、移動通信装置が通信ネットワークに接続可能となる第一通信セルを提供し、前記第一通信セルを介して移動通信装置が前記通信ネットワークに接続されているかどうかを判定し、その判定結果に応じて、さらに通信セルをモニタし、前記第一通信セルを介して接続されている移動通信装置が存在しないと判定されるとき、前記方法は、無線アクセス技術／周波数帯域の組み合わせの第一セットの任意のものを用いてさらに通信セルの動作をモニタし、前記第一通信セルを介して少なくとも一つの移動通信装置が接続されていると判定されるとき、前記方法は、無線アクセス技術／周波数帯域の組み合わせの第二セットの任意のものを用いて、さらに通信セルの動作をモニタし、前記第一および第二セットの少なくとも一方が、前記第一および第二セットの他方に存在しない、少なくとも一つの無線アクセス技術／周波数帯域の組み合わせを含む。
【００２５】
本発明の一態様に係る通信装置は、少なくとも一つの通信セルを提供し、他の通信セルをモニタする通信装置であって、移動通信装置が通信ネットワークに接続可能な第一通信セルを提供する手段と、移動通信装置が通信ネットワークに接続可能な第二通信セルを提供する手段と、少なくとも一つの移動通信装置が、前記第一通信セルを介して前記通信ネットワークに接続されているかどうか、かつ少なくとも一つの移動通信装置が、前記第二通信セルを介して前記通信ネットワークに接続されているかどうかを判定する手段と、前記判定手段の判定結果に応じて、さらに通信セルをモニタする手段と、を含み、前記モニタ手段は、前記第一通信セルを介して接続されている移動通信装置が存在しないと判定されると共に、前記第二通信セルを介して接続されている移動通信装置が存在しないと判定されるとき、さらに通信セルをモニタする前に、前記第一および第二通信セル内のダウンリンク伝送を停止させ、少なくとも一つの移動通信装置が前記第一通信セルを介して接続されていると判定されると共に、前記第二通信セルを介して接続されている移動通信装置が存在しないと判定されるとき、さらに通信セルをモニタする前に、前記第一通信セルではなく、その第二通信セル内のダウンリンク伝送を停止させるように動作可能である。
【００２６】
第一通信セルを提供する前記手段は、第一無線アクセス技術／周波数帯域の組み合わせを用いて動作する、第一通信セルを提供するように動作可能であってよい。第二通信セルを提供する前記手段は、第二無線アクセス技術／周波数帯域の組み合わせを用いて動作する、第二通信セルを提供するように動作可能であってよい。
【００２７】
前記モニタ手段は、前記第一通信セルを介して接続されている移動通信装置が存在しないと判定されると共に、前記第二通信セルを介して接続されている移動通信装置が存在しないと判定されるとき、無線アクセス技術／周波数帯域の組み合わせの第一セットの任意のものを用いてさらに通信セルの動作をモニタするように動作可能であってよく、少なくとも一つの移動通信装置が、前記第一通信セルを介して接続されていると判定され、前記第二通信セルを介して接続されている移動通信装置が存在しないと判定されるとき、無線アクセス技術／周波数帯域の組み合わせの第二セットの任意のものを用いて、さらに通信セルの動作をモニタするように動作可能であってよい。
【００２８】
無線アクセス技術／周波数帯域の組み合わせの前記第一セットは、前記第一無線アクセス技術／周波数帯域の組み合わせおよび前記第二無線アクセス技術／周波数帯域の組み合わせを含んでよい。無線アクセス技術／周波数帯域の組み合わせの前記第二セットは、前記第二無線アクセス技術／周波数帯域の組み合わせを含んでよいが、前記第一無線アクセス技術／周波数帯域の組み合わせを含まない。
【００２９】
本発明の一態様に係る方法は、通信装置により実行される通信セルのモニタ方法であって、移動通信装置が通信ネットワークに接続可能な第一通信セルを提供し、移動通信装置が通信ネットワークに接続可能な第二通信セルを提供し、少なくとも一つの移動通信装置が、前記第一通信セルを介して前記通信ネットワークに接続されているかどうかを判定すると共に、少なくとも一つの移動通信装置が、前記第二通信セルを介して前記通信ネットワークに接続されているかどうかを判定し、前記判定の結果に応じて、さらに通信セルをモニタし、前記第一通信セルを介して接続されている移動通信装置が存在しないと判定されると共に、前記第二通信セルを介して接続されている移動通信装置が存在しないと判定されるとき、通信セルをさらにモニタする前に、前記第一および第二通信セル内のダウンリンク伝送を停止し、少なくとも一つの移動通信装置が前記第一通信セルを介して接続されていると判定されると共に、前記第二通信セルを介して接続されている移動通信装置が存在しないと判定されるとき、前記方法は、さらに通信セルをモニタする前に、前記第一通信セルを停止させることなく、前記第二通信セル内のダウンリンク伝送を停止させる。
【００３２】
本発明の一態様に係る通信装置は、少なくとも一つの通信セルを提供し、他の通信セルをモニタする通信装置であって、通信装置は、移動通信装置が通信ネットワークに接続可能な第一通信セルを提供し、移動通信装置が、前記第一通信セルを介して前記通信ネットワークに接続されているかどうかを判定し、その判定結果に応じて、さらに通信セルをモニタする、ように動作可能であり、前記第一通信セルを介して接続されている移動通信装置が存在しないと判定されるとき、前記モニタは、無線アクセス技術／周波数帯域の組み合わせの第一セットの任意のものを用いてさらに通信セルの動作をモニタし、少なくとも一つの移動通信装置が前記第一通信セルを介して接続されていると判定されるとき、前記モニタは、無線アクセス技術／周波数帯域の組み合わせの第二セットの任意のものを用いて、さらに通信セルの動作をモニタし、前記第一および第二セットの少なくとも一方が、前記第一および第二セットの他方に存在しない少なくとも一つの無線アクセス技術／周波数帯域の組み合わせを含む。
【００３３】
本発明の一態様に係る通信装置は、少なくとも一つの通信セルを提供し、他の通信セルをモニタする通信装置であって、通信装置は、移動通信装置が通信ネットワークに接続可能な第一通信セルを提供し、移動通信装置が通信ネットワークに接続可能な第二通信セルを提供し、少なくとも一つの移動通信装置が前記第一通信セルを介して前記通信ネットワークに接続されているかどうかを判定すると共に、少なくとも一つの移動通信装置が前記第二通信セルを介して前記通信ネットワークに接続されているかどうかを判定し、その判定結果に応じて、さらに通信セルをモニタする、ように動作可能であり、前記第一通信セルを介して接続されている移動通信装置が存在しないと判定されると共に、前記第二通信セルを介して接続されている移動通信装置が存在しないと判定されるとき、前記モニタは、さらに通信セルをモニタする前に、前記第一および第二通信セル内のダウンリンク伝送を停止させ、少なくとも一つの移動通信装置が前記第一通信セルを介して接続されていると判定されると共に、前記第二通信セルを介して接続されている移動通信装置が存在しないと判定されるとき、前記モニタは、さらに通信セルをモニタする前に、前記第一通信セルを停止させることなく、その第二通信セル内のダウンリンク伝送を停止する。
【００３５】
本発明の一態様に係る通信システムは、複数の通信セルを含む通信ネットワークと、それぞれ前記通信セルの少なくとも一つを介して前記通信ネットワークに接続するように動作可能な複数の移動通信装置と、上述の通信装置とを含む。
【００３６】
本発明の一態様に係る移動通信装置は、前記セルの少なくとも一つを介して前記通信システムの前記通信ネットワークを接続する手段を含む、上記通信システムのうちの一つの一部を構成する。
【００３７】
本発明の一態様に係る移動通信装置は、通信装置により提供され、前記移動通信装置が通信ネットワークに接続可能な、第一通信セルに接続するように動作可能な移動通信装置であって、移動通信装置が前記第一通信セルを介して前記通信ネットワークに接続されているかどうかを判定する手段と、前記判定手段による判定結果に応じて、さらに通信セルをモニタする手段と、を含み、前記モニタ手段は、前記第一通信セルを介して接続されている移動通信装置が存在しないと判定されるとき、無線アクセス技術／周波数帯域の組み合わせの第一セットの任意のものを用いて、さらに通信セルの動作をモニタし、少なくとも一つの移動通信装置が前記第一通信セルを介して接続されていると判定されるとき、無線アクセス技術／周波数帯域の組み合わせの第二セットの任意のものを用いて、さらに通信セルの動作をモニタするように動作可能であり、前記第一および第二セットの少なくとも一方が、前記第一および第二セットの他方に存在しない、少なくとも一つの無線アクセス技術／周波数帯域の組み合わせを含む。
【００３８】
本発明の一態様に係る移動通信装置は、通信装置により提供され、前記移動通信装置が通信ネットワークに接続可能な、第一通信セルに接続するように動作可能である移動通信装置であって、移動通信装置が通信ネットワークに接続可能な第二通信セルを提供する手段と、少なくとも一つの移動通信装置が前記第一通信セルを介して前記通信ネットワークに接続されているかどうかを判定すると共に、少なくとも一つの移動通信装置が前記第二通信セルを介して前記通信ネットワークに接続されているかどうかを判定する手段と、前記判定手段による判定結果に応じて、さらに通信セルをモニタする手段と、を含み、前記モニタ手段は、前記第一通信セルを介して接続されている移動通信装置が存在しないと判定されると共に、前記第二通信セルを介して接続されている移動通信装置が存在しないと判定されるとき、さらに通信セルをモニタする前に、前記第一および第二通信セル内のダウンリンク伝送を停止し、少なくとも一つの移動通信装置が前記第一通信セルを介して接続されていると判定されると共に、前記第二通信セルを介して接続されている移動通信装置が存在しないと判定されるとき、さらに通信セルをモニタする前に、前記第一通信セルを停止させることなく、その第二通信セル内のダウンリンク伝送を停止するように動作可能である。
【００４０】
本発明の態様は、上記態様に記載された方法を実行しおよび請求項に記載されものを実現するプログラム可能なプロセッサをプログラムし、および／または任意の請求項に記載された装置を提供するため、適切に適合させたコンピュータをプログラムするように動作可能な、命令が記憶されているコンピュータ可読記憶媒体などのコンピュータプログラム製品に拡大することができる。
【００４１】
当業者の理解を容易にするため、本発明は、３Ｇシステム（ＵＭＴＳ、ＬＴＥ）について詳細に説明されるが、移動機器またはユーザ機器（ＵＥ：Ｕｓｅｒ  Ｅｑｕｉｐｍｅｎｔ）が、必要に応じて変更されるシステムの対応要素を有するいくつかの基地局のうちの一つと通信する、その他のシステム（ＧＳＭ（登録商標）、ＣＤＭＡ２００、ＷｉＭＡＸなど）に本発明の原理を適用することができる。
【００４２】
本明細書（特許請求範囲を含む）に開示され、および／または図面に示された各特徴を、他に開示されたおよび／または図示された特徴とは独立して（または組み合わせて）本発明に組み込むことができる。特に限定することはないが、特定の独立請求項に従属する請求項のうちの任意の請求項の特徴は、任意の組み合わせで、または個々に独立請求項として導入可能である。
本発明の実施形態は、以下の添付図面を参照することでのみ、例として説明される。
【図面の簡単な説明】
【００４３】
【図１】移動（セルラー式）通信システムを模式的に示す図である。
【図２（ａ）】図１の通信システムのフェムトアクセスポイントが作動可能なシナリオ例を示す図である。
【図２（ｂ）】図１の通信システムのフェムトアクセスポイントが作動可能なシナリオ例を示す図である。
【図３】図１の通信システムのデュアルモードフェムトアクセスポイント（ＦＡＰ）の主要構成要素を示すブロック図である。
【図４】図１のデュアルモードＦＡＰの動作を示すフローチャートである。
【図５】図１のデュアルモードＦＡＰの動作を示す別のフローチャートである。
【発明を実施するための形態】
【００４４】
概要
図１は、移動電話（移動通信装置）３−１から３−６のユーザが、異なる無線アクセス技術（ＲＡＴ）を用いて動作する、異なるアクセスノードを介して他のユーザと通信することが可能な、移動（セルラー式）通信システム１の模式図である。特に、以下を介して移動電話３（または他のユーザ機器）を移動電話コアネットワーク８に直接接続することができる。すなわち、「３Ｇ」ＵＭＴＳ  （ユニバーサル移動体通信システム）地上無線アクセスネットワーク（ＵＴＲＡＮ）基地局５−１および関連する無線ネットワークコントローラ（ＲＮＣ）７；  進化型ＵＴＲＡＮ（Ｅ−ＵＴＲＡＮ）基地局５−２；ＧＳＭベーストランシーバ基地局（ＢＴＳ）４およびＧＳＭ基地局コントローラ（ＢＳＣ）６を含む「２Ｇ」移動通信用グローバルシステム（ＧＳＭ）基地局５−３；および／またはＣＤＭＡベーストランシーバ基地局（ＢＴＳ）１２およびＣＤＭＡ基地局コントローラ（ＢＳＣ）１０を含む「２Ｇ」符号分割多重アクセス（ＣＤＭＡ）基地局５−４。
【００４５】
ユーザの事業所または私邸９に備えてある「フェムト」アクセスポイント（ＦＡＰ）として一般に知られているアクセスポイント１１−２および１１−１を用いて、移動電話３を移動電話コアネットワーク８に接続することができる。図１において、ＦＡＰは、シングルモードＦＡＰ１１−２およびデュアルモードＦＡＰ１１−１を含む。この実施形態では、シングルモードＦＡＰ１１−２は、シングル・ロング・ターム・エボリューション（ＬＴＥ）／Ｅ−ＵＴＲＡＮをサポートするフェムトセルを設けている。デュアルモードＦＡＰ１１−１は、ＬＴＥ／Ｅ−ＵＴＲＡＮおよびＵＴＲＡＮの両者をサポートするデュアルフェムトセルを実質的に設けている。
【００４６】
シングルモードＦＡＰ１１−２は、Ｅ−ＵＴＲＡＮサポート「ホーム」基地局（ＨｅＮＢ）を含み、一方デュアルモードＦＡＰ１１−１は、Ｅ−ＵＴＲＡＮサポート「ホーム」基地局（ＨｅＮＢ）機能１１−１ｂおよびＵＴＲＡＮサポート「ホーム」基地局（ＨＮＢ）機能１１−１ａを含む。
【００４７】
ＦＡＰ１１は、ＡＤＳＬまたはケーブル接続１６などの適切なインターネット接続を介し、この実施形態の例では、ブロードバンドアクセスネットワーク（ブロードバンドフォーラム、ＢＢＦに準拠）から成る、アクセスネットワーク１５によって、移動電話コアネットワーク８に対して、それぞれ結合されている。図１に示す例では、移動電話３−２は、シングルモードＦＡＰ（ＨｅＮＢ）１１−２を介してコアネットワーク８に接続されており、移動電話３−１は、デュアルモードＦＡＰ（ＨｅＮＢ／ＨＮＢ）１１−１を介してコアネットワーク８に接続されており、移動電話３−３は、Ｅ−ＵＴＲＡＮ基地局５−２を介してコアネットワーク８に接続されており、移動電話３−４は、ＵＴＲＡＮ基地局５−１を介してコアネットワーク８に接続されており、移動電話３−５は、ＧＳＭ基地局５−３を介してコアネットワーク８に接続されており、移動電話３−６は、ＣＤＭＡ基地局５−４を介してコアネットワーク８に接続されている。
【００４８】
各ＦＡＰ１１は、隣接アクセスポイントのＩＤを取得し、例えばセル間の移動通信装置３のハンドオーバーをサポートするために利用可能な隣接セルの詳細と共に、隣接表を事前設定するため、他の隣接アクセスポイントによって伝送された信号が検出可能なネットワークモニタモード（ＮＭＭ）で動作可能である。正確かつ最新の隣接表を維持するために、ＦＡＰ１１の最初の設定時、およびそれ以降は定期的に、自己構成プロセス時にＮＭＭが開始される。ＮＭＭスキャンは、ＮＭＭ工程を実行するＦＡＰ１１のホーム基地局機能を介して実行される。
【００４９】
ＮＭＭにおいて、ＦＡＰは隣接セルのシステム情報ブロック（ＳＩＢ）を読み出し、閉サブスクライバグループＩＤ（ＣＳＧ  ＩＤ）、ロケーションエリアコード（ＬＡＣ）、ルーティングエリアコード（ＲＡＣ）およびトラッキングエリアコード（ＴＡＣ）などの情報を取得する。隣接セルの状態測定は、例えば参照信号受信電力（ＲＳＲＰ）、受信信号強度インジケータ（ＲＳＳＩ）などの測定を含んで行われる。
【００５０】
隣接表は、物理セル識別情報（ＰＣＩ）または一次スクランブル符号（ＰＳＣ）、ルーティングパラメータ（例：特定セルへの任意のハンドオーバメッセージの送信方法を識別するパラメータ）、ＣＳＧ  Ｉｄ（必要に応じて）、ＬＡＣ／ＲＡＣ／ＴＡＣなどの適切な情報により、このように事前設定される。
【００５１】
以下に詳細に説明するが、シングルモードＦＡＰ１１−２は、ＮＭＭの開始および想定される隣接セルのスキャンの前に、そのダウンリンク（ＤＬ）伝送を終了する。従って、シングルモードＦＡＰ１１−２のセル内に使用可能な（接続モード）移動通信装置３が存在するとき、シングルモードＦＡＰ１１−２は、ダウンリンク伝送を終了し、ＮＭＭを開始可能とする前に、関連する接続が終了するまで待機しなければならない。
【００５２】
デュアルモードＦＡＰ１１−１は、複数のＮＭＭ、すなわち第一ＮＭＭ（以後「通常」または「全」ＮＭＭと称する）および第二ＮＭＭ（以後「短縮」または「部分」ＮＭＭと称する）のうちの一方において良好に動作可能となっている。ＨＮＢ機能１１−１ａまたはＨｅＮＢ機能１１−１ｂのいずれか一方を介して接続された使用可能な移動通信装置３が存在しない場合、「通常」ＮＭＭを開始するように、ホーム基地局機能１１−１ａ、１１−１ｂのうちの一方を介して接続された使用可能な移動通信装置３は存在するが、ホーム基地局の機能１１−１ａ、１１−１ｂの他方を介して接続された使用可能な移動通信装置３が存在しない場合、「部分」ＮＭＭを開始するように、デュアルモードＦＡＰ１１−１が動作可能である。
【００５３】
通常ＮＭＭにおいて、ＨＮＢ機能１１−１ａのダウンリンク伝送およびＨｅＮＢ機能１１−１ｂのダウンリンク伝送は、通常ＮＭＭがデュアルモードＦＡＰ１１−１によって開始される前にいずれも終了する。その後デュアルモードＦＡＰ１１−１は、想定されるＲＡＴの「全」セットおよび任意の隣接セルについて想定される周波数帯域の「全」セットをスキャンする。サーチされたＲＡＴの「全」セットおよび周波数帯域の「全」セットは、ＨＮＢ機能１１−１ａのＲＡＴおよび周波数帯域ならびにＨｅＮＢ機能１１−１ｂのＲＡＴおよび周波数帯域を含む。
【００５４】
部分ＮＭＭでは、部分ＮＭＭがデュアルモードＦＡＰ１１−１によって開始される前に、使用可能な移動通信装置３が接続されるホーム基地局機能１１−１ａ、１１−１ｂについてダウンリンク伝送が終了する。しかしながら、ホーム基地局機能１１−１ａ、１１−１ｂの他方については（使用可能な移動通信装置３はいずれも接続されない）ダウンリンク伝送は終了しない。
【００５５】
部分ＮＭＭの開始において、デュアルモードＦＡＰ１１−１は、任意の隣接セルについて、ＲＡＴおよび周波数帯域の組み合わせの「部分」セットまたは「サブセット」をスキャンする。サーチされたＲＡＴおよび周波数帯域の組み合わせの部分セットは、ダウンリンク伝送が終了しているホーム基地局機能１１−１ａ、１１−１ｂのＲＡＴおよび周波数帯域の組み合わせを含むが、ダウンリンク伝送が終了していないホーム基地局機能１１−１ａ、１１−１ｂのＲＡＴおよび周波数帯域の組み合わせを含まない。
【００５６】
部分ＮＭＭにより、デュアルモードＦＡＰ１１−１によって割り当てられたデュアルフェムトセルの有効な各セルにおいて使用可能な任意の移動通信装置３の動作を停止するため、ＨＮＢおよびＨｅＮＢ機能１１−１ａ、１１−１ｂについて待機により生じる遅延の可能性を良好に低減することができる。
【００５７】
ホーム基地局機能１１−１ａ、１１−１ｂのいずれか一方が移動電話３を接続したため、部分ＮＭＭを使用した隣接セルのサブセットのみをデュアルモードＦＡＰ１１−１が検出した場合、デュアルモードＦＡＰ１１−１は、後続の部分ＮＭＭまたは通常ＮＭＭにおいて検出されない他の任意の隣接セルの詳細と共に、隣接リストを更新することができる。特に、接続された移動電話３に対応するホーム基地局機能１１−１ａ、１１−１ｂにおいて、任意の接続モードの移動電話３が存在しない場合、後続の部分ＮＭＭまたは通常ＮＭＭの隣接リストを更新することができる。
【００５８】
デュアルモードＦＡＰ１１−１は、通常ＮＭＭの実行時でも、各ホーム基地局機能を介してＲＡＴ／周波数帯域の組み合わせのそれぞれ異なる「部分」セットがスキャン可能となるように、スキャンされたＲＡＴ／周波数帯域の組み合わせを良好に制限することもできる。特にこのような能力により、デュアルモードＦＡＰ１１−１は、ＨＮＢ機能１１ａを介してＲＡＴ／周波数帯域の組み合わせの「全」セットのサブセットをスキャンすることができ、シングルＮＭＭ工程時にスキャンされたＲＡＴ／周波数帯域の組み合わせの重複が回避されるように（または一つ以上のＲＡＴ／周波数帯域の組み合わせでのスキャンの重複について特定の技術上の理由がある場合に制限される）、ＨｅＮＢ機能を用いてＲＡＴ／周波数帯域の組み合わせの「全」セットのさらにサブセットをスキャンできる。このような能力は、ＨＮＢ機能１１−ａを介して実行される部分ＮＭＭ工程時とその後にＨｅＮＢ機能１１−ｂを介して実行される部分ＮＭＭ工程時（またはその逆）にスキャンされたＲＡＴ／周波数帯域の組み合わせの重複を回避または制限するためにも良好に使用可能である。このような能力は、ＮＭＭ効率の向上およびエネルギー消費の低減という意味でも有利である。
【００５９】
例示のシナリオ
シングルおよびデュアルモードＦＡＰ１１の動作について、図２（ａ）、２（ｂ）に示す具体的なシナリオ例に関して説明する。
【００６０】
図２（ａ）は、シングルモードＦＡＰ１１−２によるフェムトセルが周波数帯域「ｆ１」で動作し、かつ様々なＲＡＴｓを用いて動作する以下の７つの隣接セルを有する、シナリオ例を示す。
・周波数帯域「ｆ１」で動作する二つのＬＴＥ（Ｅ−ＵＴＲＡＮ）ＲＡＴセル２０２−１、２０２−３
・周波数帯域「ｆ２」で動作する一つのＬＴＥ（Ｅ−ＵＴＲＡＮ）ＲＡＴセル２０２−２
・周波数帯域「ｆ４」で動作する一つのＵＭＴＳ（ＵＴＲＡＮ）ＲＡＴセル２０４−１
・周波数帯域「ｆ５」で動作する一つのＵＭＴＳ（ＵＴＲＡＮ）ＲＡＴセル２０４−２
・周波数帯域「ｆ６」で動作する一つのＧＳＭ  ＲＡＴセル２０６
・周波数帯域「ｆ７」で動作する一つのＣＤＭＡ  ＲＡＴセル２０８
【００６１】
ＮＭＭに入る前に、シングルモードＦＡＰ１１−２は、ＦＡＰ１１−２が働いている、任意の使用可能な（接続モード）移動通信装置３が切断される（例：アイドルモードになる）まで、まず待機する。接続モードの移動通信装置３がセルに存在しない場合、シングルモードＦＡＰ１１−２のＨｅＮＢは、ダウンリンク（ＤＬ）伝送を中断し、無線アクセス技術（ＲＡＴ）および周波数帯域の全範囲にわたって任意の想定されうる隣接セルについてスキャンを始める。従って、ＮＭＭでの動作時、シングルモードＦＡＰ１１−２は、７つの隣接セルをすべて検出する。
【００６２】
図２（ｂ）は、デュアルモードＦＡＰ１１−１が、周波数帯域「ｆ１」でＬＴＥ／ＥＵＴＲＡＮセルを有効に動作させるＨｅＮＢ機能１１−１ｂおよび周波数帯域「ｆ４」でＵＭＴＳ／ＵＴＲＡＮセルを有効に動作させるＨＮＢ機能１１−１ａを含み、以下のような図２（ａ）のシングルモードＦＡＰ１１−２と同じ７つの隣接セルを有するシナリオ例を示す。
・周波数帯域「ｆ１」で動作する二つのＬＴＥセル２０２−１、２０２−３
・周波数帯域「ｆ２」で動作する一つのＬＴＥセル２０２−２
・周波数帯域「ｆ４」で動作する一つのＵＭＴＳセル２０４−１
・周波数帯域「ｆ５」で動作する一つのＵＭＴＳセル２０４−２
・周波数帯域「ｆ６」で動作する一つのＧＳＭセル２０６
・周波数帯域「ｆ７」で動作する一つのＣＤＭＡセル２０８
【００６３】
ＮＭＭを始める前に、デュアルモードＦＡＰ１１−１は、デュアルフェムトセルで動作している任意の使用可能な（接続モード）移動通信装置３が存在するかどうかを判定すると共に、使用可能な移動通信装置３の接続が、デュアルモードＦＡＰ１１−１の二つのホーム基地局機能（ＨＮＢおよびＨｅＮＢ）１１−１ａ、１１−１ｂのどちらを介して接続されているかどうかを判定する。
【００６４】
ＨＮＢおよびＨｅＮＢの両者を介して接続されている使用可能な移動通信装置：
デュアルモードＦＡＰ１１−１が、使用可能な移動通信装置３が、ＨｅＮＢおよびＨＮＢ機能１１−１ａ、１１−１ｂの両者を介して接続されていると判定した場合、ＮＭＭは開始されず、デュアルモードＦＡＰ１１−１は、ＮＭＭが開始可能とされる前に、ＨｅＮＢおよびＨＮＢ機能１１−１ａ、１１−１ｂの少なくとも一方を介して接続された使用可能な（接続モード）移動通信装置３が切断されるまで待機する。
【００６５】
ＨｅＮＢのみを介して接続されている使用可能な移動通信装置：
使用可能な移動通信装置３がＨｅＮＢ機能１１−１ｂを介して接続されているが、ＨＮＢ機能１１−１ａを介して接続されている使用可能な移動通信装置３が存在しないと判定した場合、部分ＮＭＭが開始される。デュアルモードＦＡＰ１１−１は、ＨＮＢ機能１１−１ａのＤＬ伝送を終了し、ＨＮＢ機能１１−１ａを介して想定されるＲＡＴおよび周波数帯域の組み合わせのサブセットについてスキャンする。特に、デュアルモードＦＡＰ１１−１は、使用可能な移動通信装置３が接続されるホーム基地局機能（この場合ＨｅＮＢ機能１１−１ｂ）のＲＡＴに対応しないＲＡＴのセルについてスキャンする。デュアルモードＦＡＰ１１−１は、使用可能な移動通信装置３が接続されるホーム基地局機能（この場合ＨｅＮＢ機能１１−１ｂ）の周波数帯域に対して異なる周波数で作動するセルについてもスキャンする。デュアルモードＦＡＰ１１−１は、従って「ｆ１」以外の周波数帯域で動作する非ＬＴＥ（非ＥＵＴＲＡＮ）ＲＡＴおよびＬＴＥ（ＥＵＴＲＡＮ）ＲＡＴセルについてのみスキャンする。
【００６６】
従って、図２（ｂ）が示す例では、デュアルモードＦＡＰ１１−１が、使用可能な移動通信装置３がＨｅＮＢ機能１１−１ｂを介して接続されているが、ＨＮＢ機能１１−１ａを介して接続されている使用可能な移動通信装置３は存在しないと判定した場合、デュアルモードＦＡＰ１１−１は、部分ＮＭＭを開始する。ここでは以下の５つの隣接セルを構成する、想定されうる隣接セルのサブセットのみが検出される。
・周波数帯域「ｆ２」で動作する一つのＬＴＥセル２０２−２
・周波数帯域「ｆ４」で動作する一つのＵＭＴＳセル２０４−１
・周波数帯域「ｆ５」で動作する一つのＵＭＴＳセル２０４−２
・周波数帯域「ｆ６」で動作する一つのＧＳＭセル２０６
・周波数帯域「ｆ７」で動作する一つのＣＤＭＡセル２０８
【００６７】
さらに図２（ｂ）の例では、部分ＮＭＭにおいて、使用可能な移動通信装置３がＨｅＮＢ機能１１−１ｂを介して接続されているが、ＨＮＢ機能１１−１ａを介して接続されている使用可能な移動通信装置３が存在しないとき、以下のセルは検出されない。
・周波数帯域「ｆ１」で動作する二つのＬＴＥセル２０２−１、２０２−３
【００６８】
ＨＮＢのみを介して接続されている使用可能な移動通信装置：
デュアルモードＦＡＰ１１−１は、使用可能な移動通信装置３がＨＮＢ機能１１−１ａを介して接続され、ＨｅＮＢ機能１１−１ｂを介して接続された使用可能な移動通信装置３が存在しないと判定すると、部分ＮＭＭが開始される。デュアルモードＦＡＰ１１−１は、ＨｅＮＢ機能１１−１ｂのＤＬ伝送を終了し、ＨｅＮＢ機能１１−１ｂを介して予想されるＲＡＴおよび周波数帯域の組み合わせのサブセットについてスキャンする。特に、デュアルモードＦＡＰ１１−１は、使用可能な移動通信装置３が接続されるホーム基地局機能（この場合、ＨＮＢ機能１１−１ａ）のＲＡＴに対応しないＲＡＴｓのセルについてスキャンする。デュアルモードＦＡＰ１１−１は、使用可能な移動通信装置３が全く接続されていないホーム基地局機能（この場合ＨＮＢ機能１１−１ａ）の周波数帯域に対して異なる周波数帯域で動作するセルについてもスキャンする。従ってデュアルモードＦＡＰ１１−１は、「ｆ４」以外の周波数帯域で動作する非ＵＭＴＳ（非ＵＴＲＡＮ）ＲＡＴｓおよびＵＭＴＳ（ＵＴＲＡＮ）ＲＡＴのセルについてのみスキャンする。
【００６９】
従って、図２（ｂ）が示す例では、使用可能な移動通信装置３がＨＮＢ機能１１−１ａを介して接続されているが、ＨｅＮＢ機能１１−１ｂを介して接続されている使用可能な移動通信装置３は存在しないとデュアルモードＦＡＰ１１−１が判定すると、デュアルモードＦＡＰ１１−１は、部分ＮＭＭを開始する。ここでは、以下のリストに示す６つの隣接セルを構成する、予想される隣接セルのサブセットのみが検出される。
・周波数帯域「ｆ１」で動作する二つのＬＴＥセル２０２−１、２０２−３
・周波数帯域「ｆ２」で動作する一つのＬＴＥセル２０２−２
・周波数帯域「ｆ５」で動作する一つのＵＭＴＳセル２０４−２
・周波数帯域「ｆ６」で動作する一つのＧＳＭセル２０６
・周波数帯域「ｆ７」で動作する一つのＣＤＭＡセル２０８
【００７０】
さらに図２（ｂ）の例では、部分ＮＭＭでは、使用可能な移動通信装置３がＨＮＢ機能１１−１ａを介して接続されるが、ＨｅＮＢ機能１１−１ｂを介して接続されている使用可能な移動通信装置３が存在しないとき、以下のセルは検出されない。
・周波数帯域「ｆ４」で動作する一つのＵＭＴＳセル２０４−１
【００７１】
ＨＮＢまたはＨｅＮＢを介して接続されている使用可能な移動通信装置が存在しない：
ＨＮＢ機能１１−１ａまたはＨｅＮＢ機能１１−１ｂを介して接続されている、使用可能な移動通信装置３が存在しないとデュアルモードＦＡＰ１１−１が判定すると、通常ＮＭＭが開始される。デュアルモードＦＡＰ１１−１は、ＨｅＮＢ機能１１−１ｂおよびＨＮＢ機能１１−１ａのＤＬ伝送を終了し、予想されるＲＡＴおよび周波数帯域の組み合わせの全セットについてスキャンする。従って通常ＮＭＭでの動作時、デュアルモードＦＡＰ１１−１は、７つの隣接セルを全て検出する。
【００７２】
デュアルモードフェムトアクセスポイント
図３は、図１のデュアルモードフェムトアクセスポイント（ＦＡＰ）１１−１の主要構成要素を示すブロック図である。図示のように、デュアルモードＦＡＰ１１−１は、一つ以上のアンテナ２０３を介し、移動電話３や他のユーザ機器との信号の送受信を行うように動作可能であり、ネットワークインターフェース２０５を介してコアネットワーク８との信号の送受信を行うように動作可能なトランシーバ回路２０１を含む。トランシーバ回路２０１の動作は、メモリ２０９に格納されたソフトウェアに従いコントローラ２０７によって制御される。ソフトウェアは、とりわけ、オペレーティングシステム２１１、ＨＮＢ通信モジュール２１３、ＨｅＮＢ通信モジュール２１５およびネットワークモニタモード（ＮＭＭ）管理モジュール２１７を含む。メモリ２０９は、ＨＮＢ１１がとりわけ、ＦＡＰに割り当てられたＩＰアドレスと隣接表を格納する、データ記憶装置２２１をも保持する。
【００７３】
ＨＮＢ通信モジュール２１３は、ＵＴＲＡＮ／ＵＭＴＳホーム基地局の通信機能を提供することで、デュアルモードＦＡＰ１１−１のＨＮＢ機能１１−１ａを提供する。ＨｅＮＢ通信モジュール２１５は、Ｅ−ＵＴＲＡＮ／ＵＭＴＳホーム基地局の通信機能を提供することで、デュアルモードＦＡＰ１１−１のＨｅＮＢ機能１１−１ｂを提供する。ＮＭＭ管理モジュール２１７は、ＮＭＭが開始可能な機会を識別し、必要に応じてダウンリンク伝送が終了された、ＨＮＢおよび／またはＨｅＮＢ機能１１−１ａ、１１−１ｂを介して接続された任意の使用可能な移動通信装置３が存在するか否か判定し、任意の使用可能な移動通信装置３が接続されているＨＮＢおよび／またはＨｅＮＢ機能１１−１ａ、１１−１ｂのいずれかの経由先に応じて、通常ＮＭＭまたは部分ＮＭＭ（必要に応じて）を入力し、ＨＮＢおよび／またはＨｅＮＢ機能１１−１ａ、１１−１ｂのいずれか一方または両方を経由したＮＭＭスキャン工程の実行を管理する。
【００７４】
図１のシングルモードＦＡＰ１１−２は、図３と同様の構成要素を有する。シングルモードＦＡＰのみがシングルホーム基地局の通信機能を提供するモジュールを有し、実施形態のＨｅＮＢの場合、複数のホーム基地局が含まれない点が主な相違点である。
【００７５】
作動
デュアルモードＦＡＰ１１−１の動作について、それぞれが図１のデュアルモードＦＡＰ１１−１の動作を示すフローチャートである図４および５を参照し、その例について説明する。
【００７６】
図４に示すように、デュアルモードＦＡＰ１１−１がＳ１においてＮＭＭを開始する機会を識別すると、デュアルモードＦＡＰ１１−１は、Ｓ２において任意の接続モードの移動通信装置３にかなっているかチェックし、判定する。
【００７７】
デュアルモードＦＡＰ１１−１が任意の接続モードの移動通信装置３を受け持っていない場合、デュアルモードＦＡＰ１１−１は、Ｓ４−１において全ダウンリンク伝送を停止することで通常ＮＭＭを開始し、Ｓ４−２において隣接セルについてＲＡＴ／周波数帯域の組み合わせの全セットをスキャンする。
【００７８】
デュアルモードＦＡＰ１１−１が、ＨＮＢおよびＨｅＮＢ機能１１−１ａおよび１１−１ｂが接続モードの移動通信装置３を受け持っていると判定した場合、デュアルモードＦＡＰ１１−１はＳ３において任意のＮＭＭを開始しない。
【００７９】
ＨＮＢおよびＨｅＮＢ機能１１−１ａおよび１１−１ｂのうちの一方だけが、使用可能な移動通信装置３を受け持っているとデュアルモードＦＡＰ１１−１が判定した場合、デュアルモードＦＡＰ１１−１は、Ｓ５−１において、任意の使用可能な移動通信装置３に対応しないＨＮＢまたはＨｅＮＢ機能１１−１ａ、１１−１ｂについてダウンリンク伝送を停止し、使用可能な移動通信装置３に対応するＨＮＢまたはＨｅＮＢ機能１１−１ａ、１１−１ｂについてダウンリンク伝送を維持することで、部分ＮＭＭを開始する。Ｓ５−２において、デュアルモードＦＡＰ１１−１は、隣接セルのＲＡＴ／周波数帯域の組み合わせの部分セット／サブセットをスキャンする。ＲＡＴ／周波数帯域の組み合わせの部分セットは、使用可能な移動通信装置３に対応するＨＮＢまたはＨｅＮＢ機能１１−１ａ、１１−１ｂのＲＡＴ／周波数帯域の組み合わせを含まない。
【００８０】
デュアルモードＦＡＰ１１−１は、必要に応じてＳ６において隣接表を更新する。
【００８１】
図５は、デュアルモードＦＡＰ１１−１により採用可能な、特にエネルギー効率の良い通常または「全」ＮＭＭ工程を示す。図５が示すように、デュアルモードＦＡＰ１１−１がＳ５１においてＮＭＭを開始すると、デュアルモードＦＡＰ１１−１は、Ｓ５４−１においてＨＮＢ機能１１−１ａを用いて隣接セルについてＲＡＴ／周波数帯域の組み合わせの「全」セットのサブセットをスキャンし、Ｓ５４−２において、ＨｅＮＢ機能１１−１ｂを用いて隣接セルについてＲＡＴ／周波数帯域の組み合わせの「全」セットのサブセットをさらにスキャンする。Ｓ５５においてこれら二つの部分ＮＭＭスキャン工程の結果が組み合わされ、ＨＮＢおよびＨｅＮＢ機能１１−１ａ、１１−１ｂによりスキャンされたＲＡＴ／周波数帯域の組み合わせすべてについて、組み合わされた隣接セル情報を提供する。デュアルモードＦＡＰ１１−１は、必要に応じてＳ５６において隣接表を更新する。
【００８２】
変形および代替
上記のように実施形態の例を詳細に説明した。本発明で得られる利益を確保しつつ、上記実施形態に対していくらかの変形や代替が可能なことは当業者にとって自明である。
【００８３】
上記実施形態の例では、移動電話を使用した通信システムについて説明した。本出願に記載の信号伝達技術が他の通信システムでも採用可能であることは、当業者にとって自明である。他の通信ノードまたは装置には、例えば携帯情報端末、ラップトップコンピュータ、ウェッブブラウザなどのユーザ機器を含めることができる。
【００８４】
上記の実施形態の例では、各ＦＡＰは、トランシーバ回路を含む。この回路は通常、専用のハードウェア回路によって形成される。ただし実施形態によっては、トランシーバ回路の一部を、対応するコントローラで実行されるソフトウェアとして実現できる場合もある。
【００８５】
上記の実施形態の例では、いくつかのソフトウェアモジュールについて説明した。このようなソフトウェアモジュールは、コンパイルまたは未コンパイル形式で提供でき、信号としてコンピュータネットワークを介して、または記録媒体上でＦＡＰに提供可能であることは当事者にとって自明である。さらに、このソフトウェアの一部または全てにより実行される機能性は、一つ以上の専用ハードウェア回路を使って実行可能である。ただし、基地局およびＦＡＰの他の機能の更新を促進させることから、ソフトウェアモジュールの使用が望ましい。
【００８６】
デュアルモードＦＡＰ１１−１が、ＬＴＥ／Ｅ−ＵＴＲＡＮおよびＵＴＲＡＮをサポートするデュアルフェムトセルを効果的に提供すると説明されている一方、デュアルモードＦＡＰ１１−１は、一方がＬＴＥ／Ｅ−ＵＴＲＡＮをサポートし、他方がＵＴＲＡＮをサポートする二つの異なるシングルフェムトセルを提供するとも考えられることは、認識されている。
【００８７】
図１の例のＦＡＰ１１がブロードバンドアクセスネットワーク１５に直接連結されている一方、ＦＡＰ１１は、レジデンシャルゲートウェイを介してアクセスネットワーク１５への連結が可能である。レジデンシャルゲートウェイは、ＡＤＳＬやケーブル接続１６などの適切なインターネット接続を介してブロードバンドアクセスネットワーク１５への接続が可能であり、ＦＡＰ１１のＨ（ｅ）ＮＢは、コアネットワーク８内のセキュリティゲートウェイ（図示せず）のＩＰアドレスでプログラム可能であり、電源投入時、Ｈ（ｅ）ＮＢは、最初に予めプログラムされたセキュリティゲートウェイに接続する。
【００８８】
上記では、理解を容易にするため、デュアルモードＦＡＰが、いくつかの個々のモジュールを有するものとして説明されている。これらのモジュールは、例えば既存システムが他の適用では当初から考慮されている発明の特徴により設計されたシステムで本発明を実施するように変形されている場合など、特定の適用のため設けられているが、このようなモジュールは、全体のオペレーティングシステムまたはコードに組み込むことが可能なため、異なる構成要素として認識されることはない。
【００８９】
例えば、デュアルＦＡＰのＮＭＭ管理モジュールは、ＨＮＢ機能およびＨｅＮＢ機能の両者の機能を実施するためのシングル集積基地局チップセットを有するＦＡＰアーキテクチャで実施可能である。この場合、ＮＭＭ管理モジュールは、集積チップセットのＨＮＢ機能およびＨｅＮＢ機能の両者のＮＭＭを管理するシングルＮＭＭモジュールを構成すると考えることができる。従って、ＮＭＭ管理モジュールがシングルＮＭＭモジュールを構成すると考えることができる場合、デュアルモードＦＡＰが任意の使用可能な通信装置にかなっているか、どのホーム基地局の機能を介して任意の使用可能な移動通信装置が接続されているかに応じて、ＮＭＭ管理モジュールは、上述のように通常ＮＭＭまたは部分ＮＭＭを実行するか、もしくはＮＭＭを実行しない。
【００９０】
デュアルＦＡＰのＮＭＭ管理モジュールは、ＨＮＢ機能およびＨｅＮＢ機能をそれぞれ提供する個別のベースバンドチップセットを有するＦＡＰアーキテクチャで実施可能である。この場合、ＮＭＭ管理モジュールは、ＮＭＭコントローラモジュールと、一方がＨＮＢ機能に関連し、他方がＨｅＮＢ機能のＮＭＭに関連する、二つの個別ＮＭＭモジュールから構成されていると考えることができる。従って、ＮＭＭ管理モジュールが複数のＮＭＭモジュールを構成すると考えることができる場合、各ＮＭＭモジュールは、関連する各ホーム基地局機能が任意の使用可能な移動通信装置を取り扱っているか否かをそれぞれ判定することができる。ＨＮＢ機能に関連するＮＭＭモジュールが、ＨＮＢ機能が任意の使用可能な移動通信装置を取り扱っていないと判定した場合、そのダウンリンク伝送を個別に停止させ、ＲＡＴ（ＬＴＥ／Ｅ−ＵＴＲＡＮ  ＲＡＴを除く）の部分セットのみが隣接セルについてスキャンされる、部分ＮＭＭを開始する（逆の場合、ＨＮＢについてＮＭＭは実行されない）。ＨｅＮＢ機能に関連するＮＭＭモジュールが、ＨｅＮＢ機能が任意の移動通信装置を取り扱っていないと判定した場合、それぞれのダウンリンク伝送を停止し、隣接セルについてＲＡＴ（ＵＭＴＳ／ＵＴＲＡＮ  ＲＡＴを除く）の部分セットのみがスキャンされる部分ＮＭＭを開始する（逆の場合、ＨｅＮＢについてＮＭＭは実行されない）。ＮＭＭコントローラモジュールは、二つの個別ＮＭＭモジュールにより開始された部分ＮＭＭの任意の結果を組み合わせ、取り扱われた使用可能な移動通信装置が存在しない隣接セルの全リストまたは使用可能な移動通信装置がホーム基地局機能のうちの一つによって取り扱われた隣接セルの部分リスト、を決める。
【００９１】
当業者が容易に理解できるように、本発明は二つのホーム基地局（ＨＮＢとＨｅＮＢ）の機能性を構成するデュアルＦＡＰに照らして詳細に説明してきたが、本発明の原理は、必要に応じて変更されたシステムの対応要素を有する二つ以上のホーム基地局の機能性を構成する多重モードのＦＡＰに適用することができる。
【００９２】
さらに、デュアルモードＦＡＰは、ＬＴＥ無線アクセス技術を基礎とするホーム基地局（ＨｅＮＢ）機能およびＵＭＴＳ無線アクセス技術を基礎とするホーム基地局（ＨＮＢ）機能を有するが、ＦＡＰは、代替または追加として、任意の適切な無線アクセス技術および／または周波数帯域を用いて作動するホーム基地局機能を有することができる。例えば多重モードＦＡＰ（デュアルモードＦＡＰなど）は、それぞれ同じ無線アクセス技術を用いているが、異なる周波数帯域で動作する、複数のホーム基地局機能を有することもできる。
【００９３】
無線アクセス技術（ＲＡＴ）は、無線アクセス技術を用いて動作する特定の通信セルを介して通信セルへの接続が求められる技術としての様々な通信方法、通信プロトコル、信号符号化／復号化などの総称であり、当業者にとっては容易に理解できる。上記のように、同じＲＡＴを用いて動作するセルは、異なる周波数帯域での動作が可能である。
【００９４】
他の様々な変形は、当業者にとっては自明であり、詳細な説明は省略する。
【００９５】
この出願は、２０１１年１２月１日に出願された英国特許出願第１１２０７１７．２号を基礎とする優先権を主張し、その開示の全てをここに取り込む。
【図１】
0005825501.tif 000002
【図２（ａ）】
0005825501.tif 000003
【図２（ｂ）】
0005825501.tif 000004
【図３】
0005825501.tif 000005
【図４】
0005825501.tif 000006
【図５】
0005825501.tif 000007